(57)【要約】  本開示は、カメラモジュール、カメラモジュールの組立方法、及び携帯端末を開示する。本開示のカメラモジュールは、フレキシブル回路基板と、フレキシブル回路基板に積層されるチップと、チップに積層される画像センサと、一端がフレキシブル回路基板の配線領域に接続され、他端がチップのフレキシブル回路基板から離れる一側面であるチップの第１表面のインタフェース領域に接続される接続線と、チップの第１表面のインタフェース領域に設置される第１保護構造と、を含む。
2021513244.tif 000002
【特許請求の範囲】
【請求項１】
フレキシブル回路基板と、
前記フレキシブル回路基板に積層されるチップと、
前記チップに積層される画像センサと、
一端が前記フレキシブル回路基板の配線領域に接続され、他端が前記チップの前記フレキシブル回路基板から離れる一側面である前記チップの第１表面のインタフェース領域に接続される接続線と、
前記チップの第１表面のインタフェース領域に設置される第１保護構造と、
を含む、カメラモジュール。
【請求項２】
前記第１表面から離れる方向に向かって突出する前記接続線の部分は、前記第１保護構造の内部に位置する、請求項１に記載のカメラモジュール。
【請求項３】
前記第１保護構造は、
前記チップの第１表面に設置され、前記第１表面から離れる方向に向かって突出する前記接続線の部分が内部に位置する第１保護層と、
前記第１保護層の前記チップから離れる表面に貼着接続され、硬度が前記第１保護層の硬度より大きい第２保護層とを含む、請求項２に記載のカメラモジュール。
【請求項４】
前記第２保護層は、セラミック材料、シリコン材料、樹脂基板材料またはエポキシガラス繊維板材料で製造され、
前記第１保護層は両面テープである、請求項３に記載のカメラモジュール。
【請求項５】
前記第１保護構造は、
前記チップの第１表面に設置され、前記第１表面から離れる方向に向かって突出する前記接続線の部分が内部に位置する第１保護層と、
前記チップの第１表面に設置される第２保護層とを含み、
前記第２保護層の前記チップから離れる一側面は、前記第１保護層の前記チップに位置する一側面に位置し、
前記第２保護層の硬度は、前記第１保護層の硬度よりも大きい、請求項２に記載のカメラモジュール。
【請求項６】
前記フレキシブル回路基板の配線領域に設置され、前記チップの側面から離れる方向に向かって突出する前記接続線の部分が内部に設置される第２保護構造をさらに含む、請求項１に記載のカメラモジュール。
【請求項７】
前記第２保護構造の前記フレキシブル回路基板から離れる表面と前記第１保護構造の前記チップから離れる表面とが面一である、請求項６に記載のカメラモジュール。
【請求項８】
前記接続線の数は複数であり、
前記第１保護構造は前記チップの第１表面に枠状構造として形成され、
前記第１表面から離れる方向に向かって突出する各前記接続線の部分はいずれも前記第１保護構造の内部に位置する、請求項１に記載のカメラモジュール。
【請求項９】
請求項１〜８のいずれか一項に記載のカメラモジュールを含む携帯端末。
【請求項１０】
請求項１〜８のいずれか一項に記載のカメラモジュールに応用されるカメラモジュールの組立方法であって、
チップをフレキシブル回路基板に積層することと、
画像センサをチップに積層することと、
接続線の一端をフレキシブル回路基板に接続し、他端をチップの第１表面に接続することと、
第１表面から離れる方向に向かって突出する接続線の部分が第１保護構造の内部に位置するように、第１保護構造をチップの第１表面に設置することと、
を含む、カメラモジュールの組立方法。
【請求項１１】
プラスチック射出成形用金型により、第２保護構造を、チップの側面から離れる方向に向かって突出する接続線の部分に射出成形することにより、第２保護構造をフレキシブル回路基板のチップが設置された表面に貼着接続し、かつチップの側面から離れる方向に向かって突出する接続線の部分を第２保護構造の内部に設置することをさらに含む、請求項１０に記載のカメラモジュールの組立方法。
【発明の詳細な説明】
【技術分野】
【０００１】
本願は、２０１８年１月３０日に中国で提出された中国特許出願Ｎｏ．２０１８１００９０１８１．Ｘの優先権を主張し、その全ての内容は援用によりここに取り込まれる。
【０００２】
本開示は、通信技術分野に関し、特にカメラモジュール、カメラモジュールの組立方法、及び携帯端末に関する。
【背景技術】
【０００３】
スマートフォンのオールスクリーンの発展及び普及に伴い、携帯電話の厚さがますます薄くなり、携帯電話の内部の、カメラモジュールが利用可能なスペースもますます小さくなるため、カメラモジュールのサイズを削減することが求められている。
【０００４】
関連技術では、カメラモジュールの厚さを薄くするために、カメラモジュールの内部にあるレンズマウントを無くすことで、カメラの厚さを薄くするという効果を達成する。図１に示すように、レンズマウントを無くした後、金線Ｂを保護するために、関連技術ではプラスチック射出成形用金型Ｄにより金線Ｂの外部にプラスチックＣを射出成形することにより、金線Ｂが外へ露出しないように保証する。関連技術では、プラスチック射出成形を行う時に、プラスチック射出成形用金型ＤとチップＡとの間の接触面積（図１におけるＥ箇所）が小さいため、チップＡの、プラスチック射出成形用金型Ｄにより印加された圧力を受けるための受圧面積が小さく、チップＡのプラスチック射出成形用金型Ｄと直接接触する位置が大きな圧力を受けた後に割れが生じることを引き起こしやすく、さらにカメラモジュール全体が故障することを引き起こすという問題がある。
【発明の概要】
【０００５】
本開示の実施例は、カメラモジュール、カメラモジュールの組立方法、及び携帯端末を提供し、プラスチック射出成形用金型とチップとの間の接触面積が小さいことによるチップの割れ及びカメラモジュールの故障の問題を解決する。
【０００６】
第１態様では、本開示の実施例は、カメラモジュールを提供する。
当該カメラモジュールにおいて、
フレキシブル回路基板と、
フレキシブル回路基板に積層されるチップと、
チップに積層される画像センサと、
一端がフレキシブル回路基板の配線領域に接続され、他端がチップのフレキシブル回路基板から離れる一側面であるチップの第１表面のインタフェース領域に接続される接続線と、
チップの第１表面のインタフェース領域に設置される第１保護構造と、
を含む。
【０００７】
第２態様では、本開示の実施例は携帯端末をさらに提供する。
当該携帯端末は、上記カメラモジュールを含む。
【０００８】
第３態様では、本開示の実施例は、カメラモジュールの組立方法をさらに提供する。
当該カメラモジュールの組立方法において、
チップをフレキシブル回路基板に積層することと、
画像センサをチップに積層することと、
接続線の一端をフレキシブル回路基板に接続し、他端をチップの第１表面に接続することと、
第１表面から離れる方向に向かって突出する接続線の部分が第１保護構造の内部に位置するように、第１保護構造をチップの第１表面に設置することと、
を含む。
【０００９】
このように，本開示の上記解決手段では、カメラモジュール内に第１保護構造を増設することにより、チップとの間の接触面積を増大させ、チップの、プラスチック射出成形用金型により印加された圧力を受けるための受圧面積を増大させ、さらにチップが割れるという問題の発生を防止し、カメラが正常に動作できるように保証することができる。
【図面の簡単な説明】
【００１０】
本開示の実施例の技術手段をより明確に説明するために、本開示の実施例の説明に必要な図面を簡単に説明する。以下の説明における図面は、本開示の一部の実施例にすぎない。当業者にとって、創造性のある作業をすることなく、これらの図面から他の図面も得られることは、明らかである。
【００１１】
【図１】関連技術でプラスチック射出成形用金型によりカメラモジュールにプラスチックを射出成形する時の構造概略図を示す。
【図２】本開示の実施例に係るカメラモジュールの構造概略図を示す。
【図３】本開示の実施例に係るカメラモジュールの構造概略図を示す。
【図４】本開示の実施例に係るカメラモジュールの構造概略図である。
【発明を実施するための形態】
【００１２】
以下、図面を参照しながら本開示の例示的な実施例をより詳細に説明する。図面には本開示の例示的な実施例が示されるが、本開示は様々な形態で実現することができ、本明細書に説明した実施例によって限定されないと理解すべきである。逆に、これらの実施例を提供することは、本開示をより徹底的に理解し、かつ本開示の範囲を完全に当業者に伝えるためである。
【００１３】
図２〜図４に示すように、本開示の実施例は、フレキシブル回路基板１と、フレキシブル回路基板１に積層されるチップ２と、チップ２に積層される画像センサ３と、一端がフレキシブル回路基板１の配線領域に接続され、他端がチップ２のフレキシブル回路基板１から離れる一側面であるチップ２の第１表面のインタフェース領域に接続される接続線４と、チップ２の第１表面のインタフェース領域に設置され、かつ第１表面から離れる方向に向かって突出する接続線４の部分が内部に位置する第１保護構造５とを含む、カメラモジュールを提供する。
【００１４】
本開示の実施例では、カメラモジュール内に第１保護構造５が増設されるため、チップ２との間の接触面積が増大し、チップ２の、プラスチック射出成形用金型により印加された圧力を受けるための受圧面積が増大し、さらにチップ２が割れるという問題の発生を防止し、カメラが正常に動作できるように保証することができるとともに、レンズマウントが無くされるため、カメラモジュールのサイズが小さくなり、携帯端末の厚さを小さくするという効果を達成する。
【００１５】
さらに、本開示の実施例では、図３に示すように、接続線４の数は複数であり、第１保護構造５はチップ２の第１表面に枠状構造として形成され、第１表面から離れる方向に向かって突出する各接続線４の部分はいずれも第１保護構造５の内部に位置する。
【００１６】
画像センサ３が第１保護構造５の中空部により露出することで、カメラモジュールのレンズにより集光された光線が該画像センサ３に投射することができ、画像センサ３により光学信号を電気信号に変換し、さらにチップ２により画像生成を行う。
【００１７】
さらに、本開示の実施例では、図２〜図４に示すように、前記カメラモジュールは、フレキシブル回路基板１の配線領域に設置され、チップ２の側面から離れる方向に向かって突出する接続線４の部分が内部に設置される第２保護構造６をさらに含む。
【００１８】
第２保護構造６は、プラスチックで製造され、第１保護構造５に配置されるプラスチック射出成形用金型により、プラスチックを、チップ２の側面から離れる方向に向かって突出する該接続線４の部分に射出成形することにより形成される。該第２保護構造６は、チップ２の側面に貼設され、図２に示すように、本開示の実施例では、該第２保護構造６は、規則的な直方体構造である。
【００１９】
第１保護構造５を、第１表面から離れる方向に向かって突出する接続線４の部分に被覆し、かつ第２保護構造６を、チップ２の側面から離れる方向に向かって突出する接続線４の部分に被覆することにより、接続線４が外へ露出しないため、カメラモジュール内のレンズマウントを無くし、さらにカメラモジュールのサイズを削減するとともに、接続線４とチップ２及びフレキシブル回路基板１との間の接続が不良にならないように保証することができる。
【００２０】
さらに、図２及び図３に示すように、本開示の実施例では、第１保護構造５は第２保護構造６に貼着接続される。
【００２１】
第２保護構造６はプラスチック射出成形プロセスによりフレキシブル回路基板１に射出成形されるものであるため、第２保護構造６を該フレキシブル回路基板１に射出成形した後、第２保護構造６が第１保護構造５に接着され、両者の固定接続を実現する。第１保護構造５と第２保護構造６とを貼着接続して設置することにより、該接続線４の完全な被覆を実現することができる。
【００２２】
さらに、本開示の実施例では、図２に示すように、第２保護構造６のフレキシブル回路基板１から離れる表面と第１保護構造５のチップ２から離れる表面とが面一である。
【００２３】
第２保護構造６のフレキシブル回路基板１から離れる表面と第１保護構造５のチップ２から離れる表面とが面一であるように設置することにより、カメラモジュールのレンズの取り付けを容易にする。
【００２４】
さらに、本開示の実施例では、図３及び図４に示すように、第１保護構造５のチップ２における正投影と画像センサ３との間の所定の距離が設定される。
【００２５】
該設定は、第２保護構造６を射出成形する時に、プラスチック射出成形用金型が押し下げられる過程において画像センサ３を押圧することによる画像センサ３の破損を防止することにより、画像センサ３の構造の完全性を保証するためである。
【００２６】
さらに、本開示の実施例では、図２に示すように、第１保護構造５の画像センサ３から離れる一側面とチップ２の画像センサ３から離れる一側面とが面一である。
【００２７】
第１保護構造５の画像センサ３から離れる一側面とチップ２の画像センサ３から離れる一側面とが面一であるように設置することにより、第２保護構造６の射出成形を容易にする。
【００２８】
具体的には、本開示の実施例では、第１保護構造５は、２種類の方式によりチップ２の第１表面に設置されてもよい。図２に示すように、第１の設置方式における第１保護構造５は、チップ２の第１表面に設置され、第１表面から離れる方向に向かって突出する接続線４の部分が内部に位置する第１保護層５１と、第１保護層５１のチップ２から離れる表面に貼着接続され、硬度が第１保護層５１の硬度より大きい第２保護層５２とを含む。
【００２９】
この時に、第２保護層５２は、セラミック材料、シリコン材料、樹脂基板材料またはエポキシガラス繊維板材料で製造され、第１保護層５１は両面テープである。エポキシガラス繊維板に対応する材料グレードはＦＲ４である。
【００３０】
第１保護層５１が両面テープであり、かつ、両面テープの厚さが第１表面から離れる方向に向かって突出する接続線４の部分の高さよりも大きいことにより、両面テープを第１表面から離れる方向に向かって突出する該接続線４の部分に被覆することできることを保証する。
【００３１】
該第１の実現方式では、図３に示すように、第１保護層５１及び第２保護層５２が枠状構造であってもよく、画像センサ３が第１保護層５１及び第２保護層５２の中空部により露出することで、カメラモジュールのレンズにより集光された光線は画像センサ３に投射することができる。
【００３２】
または、該第１の実現方式では、第１保護層５１が枠状構造として設置されるのに対し、第２保護層５２が直方体構造として設置され、かつ、第２保護層５２が複数あり、複数の第２保護層５２が該第１保護層５１に均一に積層され、複数の第２保護層５２が枠状構造の中心線の周りに設置され、複数の接続線４がそれぞれ該第１保護層５１内で被覆されてもよい。
【００３３】
または、該第１の実現方式では、該第２保護層５２が枠状構造として設置されるのに対し、第１保護層５１が直方体構造として設置され、第１保護層５１が複数あり、複数の第１保護層５１が該枠状構造の中心線の周りに設置され、該第２保護層５２が複数の第１保護層５１に積層され、各接続線４が第１保護層５１に対応してもよい。
【００３４】
かつ、該第１の実現方式では、第２保護構造６は、それぞれ第１保護層５１及び第２保護層５２に貼着接続され、第２保護構造６のフレキシブル回路基板１から離れる表面と第２保護層５２のチップ２から離れる表面とが面一であり、第１保護層５１の画像センサ３の側面に向かう一側面と第２保護層５２の画像センサ３の側面に向かう一側面とが面一であり、第１保護層５１の画像センサ３の側面から離れる一側面と第２保護層５２の画像センサ３の側面から離れる一側面とが面一であり、かつ第１保護層５１及び第２保護層５２のチップ２における正投影は、いずれも該画像センサ３との間に所定の距離を有する。
【００３５】
第１表面から離れる方向に向かって突出する接続線４の部分を第１保護層５１の内部に設置することで、接続線４が外に露出することを防止し、接続線４とチップ２の溶接点が強固に接続されることを保証することができる。それとともに、第１保護層５１の上方に設置される第２保護層５２がチップ２との間の接触面積を増大させることにより、チップ２の、プラスチック射出成形用金型により印加された圧力を受けるための受圧面積が増大し、さらにチップ２が割れるという問題の発生を防止し、カメラが正常に動作できるように保証することができる。
【００３６】
図４に示すように、さらに、本開示の実施例では、第２の設置方式における第１保護構造５は、チップ２の第１表面に設置され、第１表面から離れる方向に向かって突出する接続線４の部分が内部に位置する第１保護層５１と、チップ２の第１表面に設置される第２保護層５２とを含み、、第２保護層５２のチップ２から離れる一側面は第１保護層５１のチップ２に位置する一側面に位置し、第２保護層５２の硬度は第１保護層５１の硬度よりも大きい。
【００３７】
この第２の実現方式では、第２保護層５２は、セラミック材料、シリコン材料、樹脂基板材料またはエポキシガラス繊維板材料で製造され、エポキシガラス繊維板に対応する材料グレードがＦＲ４である。第１保護層５１はプラスチックなどの可撓性材料で製造された構造であってもよい。かつ、第１保護構造５及び第２保護構造６は、いずれも直方体構造である。
【００３８】
それとともに、該第２の実現方式では、第１保護層５１の側面と第２保護層５２の側面とを貼着して設置してもよく、貼着することなく設置する方式を採用してもよい。
【００３９】
第２保護層５２のチップ２から離れる一側面が第１保護層５１のチップ２に位置する一側面に位置することとは、第１保護層５１の高さが第２保護層５２の高さよりも低いことを指し、それによりプラスチック射出成形用金型により第２保護構造６を射出成形する時に第１保護層５１が該プラスチック射出成形用金型に接触しないことを保証することができる。
【００４０】
かつ、該第２の実現方式では、第２保護構造６は、それぞれ第１保護層５１及び第２保護層５２に貼着接続され、第２保護構造６のフレキシブル回路基板１から離れる表面と第２保護層５２のチップ２から離れる表面とが面一であり、第１保護層５１の画像センサ３の側面に向かう一側面と第２保護層５２の画像センサ３の側面に向かう一側面とが面一であり、第１保護層５１の画像センサ３の側面から離れる一側面と第２保護層５２の画像センサ３の側面から離れる一側面とが面一であり、第１保護層５１及び第２保護層５２のチップ２における正投影はいずれも該画像センサ３との間に所定の距離を有する。
【００４１】
第１表面から離れる方向に向かって突出する接続線４の部分を第１保護層５１の内部に設置することで、接続線４が外に露出することを防止し、接続線４とチップ２の溶接点とが強固に接続されることを保証することができる。それとともに、第２保護層５２がチップ２との間の接触面積を増大させ、チップ２の、プラスチック射出成形用金型により印加された圧力を受けるための受圧面積が増大し、さらにチップ２が割れるという問題の発生を防止し、カメラが正常に動作できるように保証することができる。
【００４２】
本開示の別の態様によれば、本開示の実施例はまた、上記カメラモジュールを含む携帯端末を提供する。
【００４３】
本開示の携帯端末は、カメラモジュール内に第１保護構造５を増設することにより、チップ２との間の接触面積を増大させ、チップ２の、プラスチック射出成形用金型により印加された圧力を受けるための受圧面積を増大させ、さらにチップ２が割れるという問題の発生を防止し、カメラが正常に動作できるように保証することができる。
【００４４】
本開示の別の態様によれば、本開示は、カメラモジュールの組立方法をさらに提供する。
当該カメラモジュールの組立方法において、
チップ２をフレキシブル回路基板１に積層することと、
画像センサ３をチップ２に積層することと、
接続線４の一端をフレキシブル回路基板１に接続し、他端をチップ２の第１表面に接続することと、
第１表面から離れる方向に向かって突出する接続線４の部分が第１保護構造５の内部に位置するように、第１保護構造５をチップ２の第１表面に設置することと、を含む。
【００４５】
カメラモジュール内に第１保護構造５を増設することにより、チップ２との間の接触面積を増大させ、チップ２の、プラスチック射出成形用金型により印加された圧力を受けるための受圧面積を増大させ、さらにチップ２が割れるという問題の発生を防止し、カメラが正常に動作できるように保証することができる。
【００４６】
さらに、本開示の実施例では、プラスチック射出成形用金型で、第２保護構造６を、チップ２の側面から離れる方向に向かって突出する接続線４の部分に射出成形することにより、第２保護構造６をフレキシブル回路基板１のチップ２が設置された表面に貼着接続し、かつチップ２の側面から離れる方向に向かって突出する接続線４の部分を第２保護構造６の内部に設置する。
【００４７】
第１保護構造５を、第１表面から離れる方向に向かって突出する接続線４の部分に被覆し、かつ第２保護構造６を、チップ２の側面から離れる方向に向かって突出する接続線４の部分に被覆することにより、接続線４が外へ露出しないため、カメラモジュール内のレンズマウントを無くし、さらにカメラモジュールのサイズを削減するとともに、接続線４とチップ２及びフレキシブル回路基板１との間の接続が不良とならないように保証することができる。
【００４８】
本明細書における各実施例は、いずれも漸進的な方式で説明され、各実施例は、いずれも他の実施例との相違点について重点に説明し、各実施例の間の同じまたは類似の部分について互いに参照すればよい。
【００４９】
本開示の実施例における代替的な実施例を説明したが、当業者は、一旦基本的な創造性概念を知ると、これらの実施例に対して別の変更及び修正を行うことができる。したがって、添付の特許請求の範囲は、代替的な実施例と本開示の実施例の範囲内に含まれる全ての変更及び修正を含むものと解釈されることを意図する。
【００５０】
最後に、説明すべきこととして、本明細書において、例えば、「第１」、「第２」などの関係用語は、１つの実体または操作を別の実体または操作と区別するためのものにすぎず、必ずしもこれらの実体または操作の間にいかなるこのような実際の関係または順序が存在することを要求または示唆するものではない。また、用語「含む」、「備える」またはそれらの任意の他の変形は、非排他的包含を含むことを意図し、それにより一連の要素を含むプロセス、方法、物品または端末機器は、それらの要素だけでなく、明確に列挙されていない他の要素、またはこのようなプロセス、方法、物品または端末機器に固有の要素も含む。更なる限定がない場合、語句「１つの……含む」で限定された要素について、前記要素を含むプロセス、方法、物品または端末機器にさらに別の同じ要素が存在することは排除されない。
【００５１】
以上の説明は、本開示の代替的な実施形態であり、かつ指摘すべきこととして、当業者であれば、本開示の前記原理から逸脱しない前提で複数の改良及び修飾を行ってもよく、これらの改良及び修飾も本開示の保護範囲に含まれる。
【図１】
2021513244.tif 000003
【図２】
2021513244.tif 000004
【図３】
2021513244.tif 000005
【図４】
2021513244.tif 000006
【国際調査報告】
2021513244.tif 000007
2021513244.tif 000008
2021513244.tif 000009
2021513244.tif 000010
2021513244.tif 000011